【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
光ファイバーラマン分光システムを較正する方法であって、該システムは、レーザー光源と、分光器と、該レーザー光源からの光をターゲットに伝送させ、そして該分光器に散乱光を戻すために該光ファイバーラマン分光システムに連結できる複数の光ファイバープローブとを備え、該方法は、該複数の光ファイバープローブのそれぞれのために該レーザー光源からの光を既知のスペクトルを有する基準ターゲットに伝送し、該基準ターゲットからの散乱光の較正スペクトルを記録し、該既知のスペクトルと該較正システムとを比較し、そして伝達関数を生成し、そして該伝達関数を記憶させ、それによって該光ファイバープローブと該生成された伝達関数とを関連づけることを含む方法。
【請求項２】
その後に前記複数の光ファイバープローブ内の選択された光ファイバープローブを使用して試験対象に照射し、該試験対象に照射しながらスペクトルを記録し、そして該選択された光ファイバープローブと関連付けられた前記記憶された伝達関数に従ってスペクトルを補正するステップをさらに含む、請求項１に記載の方法。
【請求項３】
前記分光器が関連する分光伝達関数を有し、前記プローブが関連するプローブ伝達関数を有し、該伝達関数は、分光器の伝達関数及びプローブ伝達関数の関数である、請求項１又は２に記載の方法。
【請求項４】
一次分光器システムで、一次光ファイバープローブにより第１伝達関数のそれぞれを算出し、二次光ファイバープローブで第２伝達関数を算出し、そして、該第１伝達関数及び第２伝達関数に基づいて較正関数を算出することを含む、請求項１〜３のいずれかに記載の方法。
【請求項５】
較正関数を二次光ファイバープローブと関連付けることを含む、請求項４に記載の方法。
【請求項６】
二次分光計システムで、一次光ファイバープローブを使用し、二次システム伝達関数を生成し、そして二次システム伝達関数を記憶することを含む、請求項４又は５に記載の方法。
【請求項７】
二次光ファイバープローブを二次分光計システムと共に使用し、そして較正関数に従って、記憶された二次システム伝達関数を修正することを含む、請求項６に記載の方法。
【請求項８】
一次分光計システムに従って二次分光計システムの波長軸較正を実行する初期ステップを含む、請求項４〜７のいずれかに記載の方法。  
【請求項９】
複数の光ファイバーラマン分光システム内の光ファイバーラマン分光システムを動作させる方法であって、該複数の光ファイバーラマン分光システムは、マスター分光器及びレーザー光源を有するマスターラマン分光システムと、該マスター分光器とは異なる対応する二次分光器及びレーザー光源を有する少なくとも１個の二次ラマン分光システムとを備え、該マスターラマン分光システムは、一次光ファイバープローブ及び／又は複数の二次光ファイバープローブに連結でき、該二次ラマン分光システムは、該一次光ファイバープローブ及び／又は該複数の二次光ファイバープローブに連結でき、該方法は、
（Ａ）既知のスペクトルを有する標準的な光源を与え、
（Ｂ）該二次ラマン分光システムについて、該マスターラマン分光システムのマスター分光器に対するその二次分光器の波長軸較正を実行し、
（Ｃ）該二次ラマン分光システムについて第１較正プロセスを実行し、該第１較正プロセスは、
（ｉ）複数の伝達関数を決定し、該複数の伝達関数は該二次ラマン分光システムに連結された、選択された二次光ファイバープローブに相当し、該複数の伝達関数は、該選択された二次光ファイバープローブが該二次ラマン分光システムに連結される間に該既知のスペクトルと得られた測定較正スペクトルとの数学的関係を確立し；及び
（ｉｉ）該選択された二次光ファイバープローブとそれについて決定された伝達関数とを関連付けることを含み；
又は
（Ｄ）第２較正プロセスを実行し、該第２較正プロセスは、
（ｉ）該二次ラマン分光システムについて
（ａ）該二次ラマン分光システムに相当するシステム伝達関数を決定すると同時に、該一次光ファイバープローブを該標準的な光源から受け取った散乱光の較正スペクトルの測定中に該二次ラマン分光システムに連結させ；及び
（ｂ）該二次ラマン分光システムとそれについて決定された該システム伝達関数とを関連付けることを含み；及び
（Ｅ）該二次光ファイバープローブについて
（ｉ）該二次光ファイバープローブについて較正関数を決定し、該較正関数は、該標準的な光源から取得した散乱光のスペクトルの測定中に該マスターラマン分光システムに連結した該二次光ファイバープローブに相当し；及び
（ｉｉ）該二次光ファイバープローブとそれについて決定された該較正関数とを関連付けること
を含む方法。
【請求項１０】
前記複数の二次光ファイバープローブが選択された二次ラマン分光システム用の複数の予備プローブを備え、前記第１較正プロセスを該選択された二次ラマン分光システムについて実行して該予備プローブのそれぞれに相当する伝達関数を決定する、請求項９に記載の方法。
【請求項１１】
前記第２較正プロセスを、任意の複数の二次光ファイバープローブを任意の数の二次ラマン分光システムに一致させるように実行し、それによって異なる二次ラマン分光システム及び異なる二次光ファイバープローブを使用して取り込まれたスペクトルが調和しかつ同等になるようにする、請求項９に記載の方法。
【請求項１２】
レーザー光源と、分光器と、ラマン分光システムに連結できる複数の光ファイバープローブであって、該複数の光ファイバープローブのそれぞれが、該ラマン分光システムに連結されたときに該レーザー光源からの光をターゲットに伝送させかつ散乱光を該分光器に戻すように構成されるものと、複数の記憶された伝達関数であってそれぞれが該複数の光ファイバープローブの一つに相当するものと、該システムが該複数の光ファイバープローブの選択された一つを使用して該レーザー光源からの光を既知のスペクトルを有するターゲットに伝送させ、該ターゲットからの散乱光のスペクトルを記録し、そして該選択された光ファイバープローブに相当する該記憶された伝達関数に従って該記録されたスペクトルを変更するように動作可能であるようにプログラム命令を実行するように構成されたプロセッサを有するコンピュータとを備えるラマン分光システム。
【請求項１３】
前記記憶された伝達関数が前記分光器及び前記選択された光ファイバープローブに相当する、請求項１２に記載のシステム。
【請求項１４】
前記記憶された伝達関数が前記分光器及び前記選択された光ファイバープローブとは異なる一次光ファイバープローブに相当し、しかも、前記コンピュータは、前記システムが該選択された光ファイバープローブに関連付けられた記憶較正関数に従って該記憶された伝達関数を修正するように動作可能であるようにプログラム命令を実行するようにさらに構成される、請求項１２に記載のシステム。
【請求項１５】
前記レーザー光源からの光を複数のターゲットに伝送させ、それぞれのターゲットについて、該レーザー光源からの光の伝送力及び前記散乱光の取得したスペクトルを前記分光器で測定し、従属変数として該測定された伝送力により該取得スペクトルの多変量解析を実行し、そしてレーザーパワーの得られたモデルを該取得スペクトルのスペクトル特性の関数として記憶することを含む、請求項１に記載の方法。
【請求項１６】
試験ターゲットにレーザー光を伝送し、取得したスペクトルをモデルに送り、そして、伝送力の推定値を算出するステップをさらに含む、請求項１５に記載の方法。